(57)【要約】【課題】    低ＩＦ周波数を使用しても音声帯域内へのノイズの影響を受けないＦＭラジオチューナの低ＩＦ選定方法を提供する。【解決手段】  アンテナ１より受信した信号から所望の信号以外を減衰させるためのＢＰＦ２と、ＢＰＦ２からの出力信号と局部発信器４からの信号とを混合することによって中間周波数に変換するために混合回路３と、所望のＦＭ信号を選局するために混合回路３の出力信号と混合するための信号を生成する局部発信器４及びＰＬＬ回路５と、混合回路３から出力される中間周波数信号から希望の信号のみを抽出するためのＩＦ  ＢＰＦ６と、ＦＭ信号の振幅を一定にするためのリミット回路７と、ＦＭ信号を検出するためのＦＭ検波回路８と、ＦＭ検波回路８で検出された信号を復調するためのステレオ復調回路９とを少なくとも有するラジオチューナにおいて、ＩＦ周波数の中心周波数を３８ｋＨｚの偶数倍に近い周波数を使用するＦＭラジオチューナ。【選択図】      図１
2005303982.tif 000002
【特許請求の範囲】
【請求項１】
ＭＯＳトランジスタで構成されたＦＭラジオチューナであって、
該ＦＭラジオチューナが受信したＦＭ電波を中間周波数に変換する周波数変換回路と、
前記中間周波数の信号からＦＭ波を検波するＦＭ検波回路と、
該ＦＭ検波回路から得られるステレオ複合信号から左信号及び右信号を再生するスイッチング方式ステレオ復調回路と、
を少なくとも有する低ＩＦ方式のＦＭラジオチューナにおいて、
前記中間周波数の中心周波数を、前記ステレオ複合信号が有するパイロット信号から生成されるステレオ用副搬送波の周波数の偶数倍またはその近傍に設定することを特徴とするＦＭラジオチューナの低ＩＦ選定方法。
【請求項２】
前記ＦＭ検波回路は、ＬＣで構成される同調回路を使用しないパルスカウント方式の検波回路であることを特徴とする請求項１に記載のＦＭラジオチューナの低ＩＦ選定方法。
【請求項３】
ＭＯＳトランジスタで構成されたＦＭラジオチューナであって、
該ＦＭラジオチューナが受信したＦＭ電波を中間周波数に変換する周波数変換回路と、
前記中間周波数の信号からＦＭ波を検波するＦＭ検波回路と、
該ＦＭ検波回路から得られるステレオ複合信号から左信号及び右信号を再生するスイッチング方式ステレオ復調回路と、
を少なくとも有する低ＩＦ方式のＦＭラジオチューナにおいて、
前記中間周波数の中心周波数を、前記ステレオ複合信号が有するパイロット信号から生成されるステレオ用副搬送波の周波数の偶数倍またはその近傍に設定することを特徴とするＦＭラジオチューナ。
【請求項４】
ＭＯＳトランジスタにより１チップで構成されたＦＭラジオチューナであって、
該ＦＭラジオチューナが受信したＦＭ電波を低い中間周波数に変換し、該中間周波数の中心周波数をステレオ複合信号が有するパイロット信号から生成されるステレオ用副搬送波の周波数の偶数倍またはその近傍に設定する周波数変換回路と、
該中間周波数から所定の信号を抽出するＩＦ  ＢＰＦ（Ｉｎｔｅｒｍｅｄｉａｔｅ  Ｆｒｅｑｕｅｎｃｙ  Ｂａｎｄ  Ｐａｓｓ  Ｆｉｌｔｅｒ）と、
該所定の信号からＦＭ波を検波するパルスカウント方式のＦＭ検波回路と、
該ＦＭ検波回路から得られる前記ステレオ複合信号から左信号及び右信号を再生するステレオ復調回路と、
を少なくとも備える低ＩＦ方式のＦＭラジオチューナ。
【請求項５】
前記ステレオ復調回路は、前記ステレオ複合信号に含まれる前記中間周波数成分の信号を減衰させるための低次ＬＰＦ（Ｌｏｗ  Ｐａｓｓ  Ｆｉｌｔｅｒ）を少なくとも備えることを特徴とする請求項４に記載の低ＩＦ方式のＦＭラジオチューナ。
【発明の詳細な説明】
【技術分野】
【０００１】
本発明は、ＦＭラジオチューナにおいて使用する低ＩＦ（Ｉｎｔｅｒｍｅｄｉａｔｅ  Ｆｒｅｑｕｅｎｃｙ）信号の選定方法及びそのＩＦ信号を使用したＦＭラジオチューナに関する。
【背景技術】
【０００２】
従来より、ＦＭラジオチューナは様々な機器に組み込まれており、近年では携帯電話等に組み込まれたものもあらわれるようになってきている。そして、それらの機器にＦＭラジオチューナとしての機能を容易に組み込むためにＦＭラジオチューナを構成する回路の小型化が進んでいる。
【０００３】
また、小型化するに際してＦＭラジオチューナを構成するトランジスタには、バイポーラ型トランジスタから小規模での回路構成が容易なＭＯＳトランジスタが使用されるようになってきている。
【０００４】
特許文献１には、２００ｋＨｚの低ＩＦ信号を使用したＦＭ放送のチューナについて開示されている。
【特許文献１】特開２００２−３６８６４２号公報
【発明の開示】
【発明が解決しようとする課題】
【０００５】
様々な機器に対してＦＭラジオチューナの機能を容易に組み込むためには、ＦＭラジオチューナの機能全てを１つのチップで構成することが望ましい。ＦＭラジオチューナの１チップ化によって様々な機器に簡単に組み込むことが可能となる。
【０００６】
しかし、多くの場合にはＦＭラジオチューナを構成するために必要なコイルやコンデンサ等の一部の回路はＦＭラジオチューナを構成する回路に外付けする外付け部品としているのが現状である。例えば、フロントエンド用ＩＣとＩＦ増幅・検波用ＩＣの２チップ構成やステレオ復調用ＩＣを加えた３チップ構成のものが一般的である。また、ＰＬＬ周波数シンセサイザによる選局機能を実現させるためにＰＬＬ  ＩＣを付加する場合もある。
【０００７】
そこで、上記の外付け部品を１つのチップ内に組み入れてＦＭラジオチューナを１チップのモジュールとするために、例えば検波回路にはＬＣ回路を必要としないパルスカウント方式の検波回路を使用することが考えられる。
【０００８】
上記パルスカウント方式の検波回路を使用するためには検波回路で扱う中間周波数をより低い周波帯とする必要等の理由から、通常よりも低い中間周波数を使用する必要がある。
【０００９】
しかし、低いＩＦ周波数を使用すると、例えばステレオ復調回路において、ＬＰＦ（Ｌｏｗ  Ｐａｓｓ  Ｆｉｌｔｅｒ）で減衰しきれないＩＦ周波数成分がステレオ復調回路に入ってしまう。この時、スイッチング方式のステレオ復調回路は、ＰＬＬ（Ｐｈａｓｅ  Ｌｏｃｋｅｄ  Ｌｏｏｐ）回路等によりパイロット信号（１９ｋＨｚ）からステレオ用副搬送波信号（３８ｋＨｚ）を生成してステレオ複合信号とミキシング処理を行なうが、上述の減衰しきれなかったＩＦ周波数成分とステレオ用副搬送波信号（３８ｋＨｚ）の奇数高調波成分とが相互変調等によって音声帯域内（約２０Ｈｚから２０ｋＨｚ）にノイズとして現れてしまうという問題がある。
【００１０】
本発明は、上述した問題に鑑みてなされたものであり、その解決しようとする課題は、より低いＩＦ周波数を使用しても音声帯域内へのノイズの影響を受けないＦＭラジオチューナの低ＩＦ選定方法を提供することである。
【課題を解決するための手段】
【００１１】
請求項１に記載の発明は、ＭＯＳトランジスタで構成されたＦＭラジオチューナであって、該ＦＭラジオチューナが受信したＦＭ電波を中間周波数に変換する周波数変換回路と、前記中間周波数の信号からＦＭ波を検波するＦＭ検波回路と、該ＦＭ検波回路から得られるステレオ複合信号から左信号及び右信号を再生するスイッチング方式ステレオ復調回路と、を少なくとも有する低ＩＦ方式のＦＭラジオチューナにおいて、前記中間周波数の中心周波数を、前記ステレオ複合信号が有するパイロット信号から生成されるステレオ用副搬送波の周波数の偶数倍またはその近傍に設定することを特徴とするＦＭラジオチューナの低ＩＦ選定方法である。
【００１２】
請求項１に記載の発明によると、前記中間周波数の中心周波数を前記ステレオ複合信号が有するパイロット信号から生成されるステレオ用副搬送波の周波数の偶数倍またはその近傍に設定することによって、前記スイッチング方式ステレオ復調回路で生じる前記ステレオ用副搬送波の高調波成分と前記中間周波数成分とによる相互変調から生じるノイズが音声帯域内に入ることを防止する効果を奏する。したがって、前記相互変調によって生じるノイズの音声帯域内への影響することを低減することが可能となる効果を奏する。
【００１３】
請求項２に記載の発明は、前記ＦＭ検波回路は、ＬＣで構成される同調回路を使用しないパルスカウント方式の検波回路であることを特徴とする請求項１に記載のＦＭラジオチューナの低ＩＦ選定方法である。
【００１４】
請求項２に記載の発明によると、請求項１に記載の発明の効果に加えて、前記中間周波数の中心周波数を前記ステレオ複合信号が有するパイロット信号から生成されるステレオ用副搬送波の周波数の偶数倍またはその近傍に設定することによって、低く前記中間周波数の中心周波数を設定した場合であっても、前記相互変調によって生じるノイズの音声帯域内への影響を小さくすることが可能なので、可能な範囲で低い前記中間周波数の中心周波数を設定することができ、前記パルスカウント方式の検波回路を容易に使用することが可能となる効果を奏する。
【００１５】
請求項３に記載の発明は、ＭＯＳトランジスタで構成されたＦＭラジオチューナであって、該ＦＭラジオチューナが受信したＦＭ電波を中間周波数に変換する周波数変換回路と、前記中間周波数の信号からＦＭ波を検波するＦＭ検波回路と、該ＦＭ検波回路から得られるステレオ複合信号から左信号及び右信号を再生するスイッチング方式ステレオ復調回路と、を少なくとも有する低ＩＦ方式のＦＭラジオチューナにおいて、前記中間周波数の中心周波数を、前記ステレオ複合信号が有するパイロット信号から生成されるステレオ用副搬送波の周波数の偶数倍またはその近傍に設定することを特徴とするＦＭラジオチューナである。
【００１６】
請求項３に記載の発明によると、前記中間周波数の中心周波数を前記ステレオ複合信号が有するパイロット信号から生成されるステレオ用副搬送波の周波数の偶数倍またはその近傍に設定することによって、前記スイッチング方式ステレオ復調回路で生じる前記ステレオ用副搬送波の高調波成分と前記中間周波数成分とによる相互変調から生じるノイズが音声帯域内に入ることを防止する効果を奏する。したがって、前記相互変調によって生じるノイズの音声帯域内への影響することを低減することが可能となる効果を奏する。
【００１７】
請求項４に記載の発明は、ＭＯＳトランジスタにより１チップで構成されたＦＭラジオチューナであって、該ＦＭラジオチューナが受信したＦＭ電波を低い中間周波数に変換し、該中間周波数の中心周波数をステレオ複合信号が有するパイロット信号から生成されるステレオ用副搬送波の周波数の偶数倍またはその近傍に設定する周波数変換回路と、該中間周波数から所定の信号を抽出するＩＦ  ＢＰＦと、該所定の信号からＦＭ波を検波するパルスカウント方式のＦＭ検波回路と、該ＦＭ検波回路から得られる前記ステレオ複合信号から左信号及び右信号を再生するステレオ復調回路と、を少なくとも備える低ＩＦ方式のＦＭラジオチューナである。
【００１８】
請求項４に記載の発明によると、請求項１と同様に、前記周波数変換回路において前記中間周波数の中心周波数を前記ステレオ複合信号が有するパイロット信号から生成されるステレオ用副搬送波の周波数の偶数倍またはその近傍に設定するので、低い中間周波数を使用しても、前記ステレオ復調回路で生じる前記ステレオ用副搬送波の高調波成分と前記中間周波数成分との相互変調から生じるノイズが音声帯域内に入ることを防止する効果を奏し、前記相互変調によって生じるノイズの音声帯域内への影響を低減することが可能となる。
【００１９】
したがって、ＦＭ検波回路としてＬＣ回路を必要としないパルスカウント方式のＦＭ検波回路を使用することが可能となり、回路構成を小さくできるという効果を奏し、その結果、ＭＯＳトランジスタにより１チップでＦＭラジオチューナを構成することが容易となる。
【００２０】
また、前記周波数変換回路によって、前記ＦＭ電波が低い中間周波数に変換されるので、前記ＩＦ  ＢＰＦの周波数精度が向上するという効果を奏する。
請求項５に記載の発明は、前記ステレオ復調回路は、前記ステレオ複合信号に含まれる前記中間周波数成分の信号を減衰させるための低次ＬＰＦを少なくとも備えることを特徴とする請求項４に記載の低ＩＦ方式のＦＭラジオチューナである。
【００２１】
請求項５に記載の発明によると、前記ＬＰＦを低次とすることにより回路構成を小さくすることが可能となり、その結果、ＭＯＳトランジスタにより１チップでＦＭラジオチューナを構成することが容易となる。
【発明の効果】
【００２２】
以上のように、本発明によると、より低いＩＦ周波数を使用しても音声帯域内へのノイズの影響を受けないＦＭラジオチューナの低ＩＦ選定方法を提供することが可能となる。
【発明を実施するための最良の形態】
【００２３】
以下、本発明の実施形態について図１から図３に基づいて説明する。なお、本実施形態に係る回路は、ｐチャンネルとｎチャンネルＭＯＳトランジスタを製造できるＣＭＯＳプロセスにより半導体回路基板上に成形される。
【００２４】
図１は、本実施例に係るＦＭラジオチューナの主要部の構成を示す図である。
同図に示すラジオチューナは、ＦＭ信号を受信するアンテナ１と、アンテナ１より受信した信号のうち所望の信号以外を減衰させるためのＢＰＦ（Ｂａｎｄ  Ｐａｓｓ  Ｆｉｌｔｅｒ）２と、ＢＰＦ２からの出力信号と局部発信器４からの信号とを混合することによってＩＦ信号に変換するための混合回路３と、所望のＦＭ信号を選局するために混合回路３の出力信号と混合するための信号を生成する局部発信器４及びＰＬＬ（Ｐｈａｓｅ  Ｌｏｃｋｅｄ  Ｌｏｏｐ）回路５と、混合回路３から出力されるＩＦ信号から希望の信号のみを抽出するためのＩＦ  ＢＰＦ（Ｉｎｔｅｒｍｅｄｉａｔｅ  Ｆｒｅｑｕｅｎｃｙ  Ｂａｎｄ  Ｐａｓｓ  Ｆｉｌｔｅｒ）６と、ＦＭ信号の振幅を一定にするためのリミット回路７と、ＦＭ信号を検出するためのＦＭ検波回路８と、ＦＭ検波回路８で検出された信号を復調するためのステレオ復調回路９とを少なくとも有するラジオチューナである。
【００２５】
ただし、本発明に係るＦＭラジオチューナとは、同図に示した構成のうち混合回路３からステレオ復調回路９までの構成をいう。また、本発明に係るＦＭラジオチューナは、混合回路３からステレオ復調回路９を１チップで構成している。
【００２６】
アンテナ１で受信された放送波は、ＢＰＦ２によって希望波以外の信号が減衰される。さらに、図示しない高周波増幅回路を介すことによって、混合回路３での周波数変換処理に必要なレベルにまで増幅される。
【００２７】
混合回路３と局部発信器４とＰＬＬ回路５とによって周波数変換回路が構成され、ＢＰＦ２を介して得た希望波は局部発振器４で生成される信号と混合され、希望波の周波数と局部発信器４で生成された局部発振周波数との差の周波数が中間周波数となるように変換される。
【００２８】
上述の混合回路３と局部発信器４とＰＬＬ回路５とで構成される周波数変換回路で中間周波数に変換されたＩＦ信号は、図示しない中間周波数増幅回路を介して中間周波数が増幅され、さらにＩＦ  ＢＰＦ６によって希望する信号だけが減衰されずに通過する。
【００２９】
ＩＦ  ＢＰＦ６によって分離されたＦＭ信号は、電気的なノイズやマルチパス等の影響によって乱れた信号振幅を一定にするためにリミット回路を介し、ＦＭ検波回路８に入力される。
【００３０】
ＦＭ検波回路８によって例えばＦＭステレオ信号から、和信号とステレオ用副チャネル信号とパイロット信号とからなるステレオ複合信号が抽出される。そして、ステレオ複合信号はステレオ復調回路９によって左チャンネル信号（Ｌ信号）と右チャンネル信号（Ｒ信号）とに復調され、図示しないステレオ復調回路９に接続されるエンファシス回路、その後段に接続される低周波増幅回路を通って、図示しないスピーカ等によりステレオ音声として再生される。
【００３１】
本実施例に係るＦＭ検波回路８には、パルスカウント方式による検波回路（以下、パルスカウント検波回路と言う）を使用している。従来より広く使用されている検波回路であるレシオ検波回路やクオドラチャ検波回路は、大容量のコンデンサが必要であったり、ＬＣ回路を用いた同調回路を使用する等の理由から回路規模が大きくなり、ＦＭラジオチューナを１チップで構成することが難しいため、パルスカウント検波回路を使用して外付け部品をなくし１チップ化を実現している。
【００３２】
パルスカウント検波回路は、振幅制限増幅回路によって中間周波数信号を方形波に成形し、成形した方形波からトリガー回路によって振幅とパルス幅が一定となるパルス列を生成し、単安定マルチ回路等によりパルス幅の調整を行なった後に、積分回路により直流成分を抽出している。そして、パルスカウント検波回路に入力される中間周波数信号が変動するに応じてトリガー回路のパルス数が変動するため、積分回路から抽出される直流成分も中間周波数信号に応じて変動することとなる。
【００３３】
以上のように、本実施例で使用するパルスカウント検波回路は、ＬＣを全く使用せずに検波回路を構成することが可能であるため回路構成規模を小さくすることが可能となり、１チップ化を容易にするが、パルスの立ち上がりや立ち下がりの波形の歪みによりＳＮ比が低下するためパルス幅が長くなるような低い周波数帯で使用する必要がある。
【００３４】
そこで、本実施例に係るＦＭラジオチューナは、ＩＦ周波数をこれまでにない低い周波数に採用することによって実現されている。すなわち、一般的なＩＦ周波数は１０．７ＭＨｚ程度であるのに対して本実施例に係るＦＭラジオチューナのＩＦ周波数は３７５ｋＨｚ程度である。
【００３５】
本実施例に係るＩＦ周波数の中心周波数は、後述するステレオ用副搬送波信号の周波数（３８ｋＨｚ）の偶数倍、すなわち７６ｋＨｚの整数倍又は７６ｋＨｚの整数倍の値に近似的な（近傍の）周波数であって、かつできるだけ低い周波数に設定している。この設定は、混合回路３と局部発信器４とＰＬＬ回路５で生成する発信周波数とを調整することによって実現されている。
【００３６】
なお、本実施例に係るＦＭラジオチューナのＩＦ周波数の中心周波数は３７５ｋＨｚ程度としているが、このＩＦ周波数に限定するものではない。すなわち、必要に応じて数ｋＨｚ〜５ＭＨｚ程度の範囲内で希望のＩＦ周波数の中心周波数を採用することによって本発明に係るＦＭラジオチューナを実現することが可能となる。
【００３７】
ここで、７６ｋＨｚの整数倍の値に近似的な（近傍の）周波数としては７６ｋＨｚの整数倍の値に対して数％から１０％程度の範囲内であることが望ましい。
また、半導体素子（例えば、ＭＯＳトランジスタやバイポーラトランジスタ等）に起因して１／ｆノイズが生じることが知られている。本実施例で使用しているＭＯＳトランジスタは、バイポーラトランジスタに比べて１／ｆノイズが非常に大きい。さらに、ＩＦ周波数を低く設定することによって１／ｆノイズが大きくなってしまう。そこで、できる限り低くＩＦ周波数を設定するためには、１／ｆノイズが問題とならない程度までＩＦ周波数を低く設定すればよい。
【００３８】
図２は、本実施例に係るステレオ復調回路の構成を示す図である。
同図に示すステレオ復調回路９は、ＩＦ周波数の信号を減衰させるためのＬＰＦ（Ｌｏｗ  Ｐａｓｓ  Ｆｉｌｔｅｒ）１０と、ＬＰＦ１０によって分離されたステレオ複合信号から左チャンネル信号（Ｌ信号）と右チャンネル信号（Ｒ信号）を復調するためのスイッチング回路１１と、スイッチング回路１１に使用される信号を生成するための副搬送波発生回路１２と、ＬＰＦ１３とを少なくとも有するステレオ復調回路である。
【００３９】
ここで、ＬＰＦ１０は、回路構成を小さくして１チップ化を実現するために低次のＬＰＦ（例えば、２次のＬＰＦ）を使用することが望ましいが、任意の次数のものであってもよい。
【００４０】
上記構成によって、ＰＬＬ方式を用いたスイッチング方式によってステレオ復調処理を行なう。
ステレオ復調回路９には、ＦＭ検波回路８から出力されたステレオ複合信号が入力される。また、本実施例に係るＩＦ信号は、前述のように３７５ｋＨｚという低いＩＦ周波数を使用しているため、ＬＰＦ１０で減衰しきれないＩＦ周波数成分も入力されることとなる。
【００４１】
一方、副搬送波発生回路１２では、同回路内にある図示しないＰＬＬ回路等によってステレオ複合信号のパイロット信号（１９ｋＨｚ）からステレオ用副搬送波信号（３８ｋＨｚ）を生成して、スイッチング回路１１へ出力する。
【００４２】
ＦＭ検波回路８から入力されるステレオ複合信号と副搬送波発生回路１２から入力されるステレオ用副搬送波信号は、スイッチング回路１１でミキシング処理が行なわれ、さらにＬＰＦ１３を介することによってＬ信号とＲ信号とに復調される。
【００４３】
ここで、本実施例のようにＩＦ周波数に低い周波数を用いる場合には、ＬＰＦ１０で減衰しきれないＩＦ信号成分とステレオ復調回路９のスイッチング回路１１等によるスイッチング処理によって生じる高調波成分とが相互変調を起こし、音声帯域にノイズとして現れてしまうことに対する補償が必要となる。
【００４４】
例えば、ＩＦ周波数として副搬送波信号（３８ｋＨｚ）の奇数次の高調波に近い３２５ｋＨｚの周波数を使用した場合には、副搬送波信号の例えば第９次の高調波成分（３４２ｋＨｚ）とＩＦ信号成分（３２５ｋＨｚ）とが相互変調を起こすことによって１７ｋＨｚの周波数成分を持つノイズが生じることとなる（スイッチング処理などによって生じる高調波成分のうち偶数次の高調波はほとんど問題にならないレベルのため奇数次の高調波が問題となる）。したがって、音声帯域である約２０Ｈｚ〜２０ｋＨｚ内にノイズが現れてしまうこととなる。
【００４５】
図３は、図２に示したスイッチング回路の構成例を示す図である。
同図に示すスイッチング回路１１は、ＭＯＳトランジスタＱ１からＱ８、及びＱ１１からＱ２で構成されるギルバートセルの乗算回路と、ＭＯＳトランジスタＱ９〜Ｑ１０とを少なくとも有するスイッチング回路である。
【００４６】
差動増幅回路を構成するＭＯＳトランジスタＱ１及びＱ２には、ＬＰＦ１０からの出力信号であるステレオ複合信号が入力される。一方、ＭＯＳトランジスタであるＱ３及びＱ４とＱ５及びＱ６とには、副搬送波発生回路によって生成された３８ｋＨｚの副搬送波信号が入力される。
【００４７】
また、ＭＯＳトランジスタＱ７とＱ９とＱ１２、及びＱ８とＱ１０とＱ１１は、カレントミラー回路を構成しているので、差動増幅回路に入力されたステレオ複合信号が取り出されＭＯＳトランジスタＱ３からＱ８で構成される乗算回路へ入力されることとなる。したがって、ＭＯＳトランジスタＱ３からＱ８で構成される乗算回路へ入力されたステレオ複合信号と副搬送波信号とが乗算された信号（Ｌ信号とＲ信号との和に副搬送波信号が乗算された信号とＬ信号とＲ信号との差に副搬送波信号が乗算された信号）がそれぞれ出力Ｖｐｏ及びＶｎｏに出力され、さらにＬＰＦ１３を介することによって左チャンネル信号と右チャンネル信号とが抽出される。
【００４８】
以上に説明した相互変調等による音声帯域へのノイズの影響をなくすために、本実施例では、混合回路３と局部発振器４とＰＬＬ回路５とで構成される周波数変換回路において、ＩＦ周波数の中心周波数として副搬送波信号の周波数（３８ｋＨｚ）の偶数倍又は副搬送波信号の周波数の偶数倍に近似的な値、すなわち、７６ｋＨｚの整数倍又は７６ｋＨｚの整数倍に近似的な値を選択している。
【００４９】
例えば、ＩＦ周波数の中心周波数として副搬送波信号の周波数（３８ｋＨｚ）の偶数倍である３８０ｋＨｚに近似的な３７５ｋＨｚを使用すると、ＬＰＦ１０で減衰しきれなかったＩＦ周波数成分（３７５ｋＨｚ）と副搬送波信号の例えば第９次の高調波成分（３４２ｋＨｚ）とが相互変調を起こした場合であっても、相互変調によって生じたノイズの周波数は３３ｋＨｚとなり音声帯域内にはノイズは現れない。
【００５０】
したがって、低いＩＦ周波数を使用する場合であっても音声帯域へのノイズの影響を受けないＦＭラジオチューナを実現することが可能となる。
また、ステレオ放送のＦＭラジオチューナにおいては低いＩＦ周波数を使用する場合であっても音声帯域へのノイズの影響を受けないのでＳ／Ｎ比を向上することが可能となる。
【００５１】
また、図２に示したＦＭ検波回路８による検波後の信号に含まれるＩＦ周波数成分をＬＰＦ１０によって完全に減衰させる必要がなくなるので、ＬＰＦ１０の次数を小さくすることが可能となり、回路構成を小さくすることが可能となる。その結果、部品コストの低減も可能となる。
【００５２】
さらに、以上に説明したように低いＩＦ周波数を使用することが可能となるので、図１に示したＩＦ  ＢＰＦ６の周波数精度が向上する。
すなわち、従来から使用している１０．７ＭＨｚをＩＦ周波数の中心周波数とした場合には、中心周波数が１％ずれるとＩＦ  ＢＰＦの通過帯域が１０７ｋＨｚずれてしまうため、中心周波数のバラツキに敏感となってしまうが、本実施例に示したように３７５ｋＨｚという低い周波数をＩＦ周波数の中心周波数とすることによって、中心周波数が１％ずれてもＩＦ  ＢＰＦの通過帯域のずれは３．７５ｋＨｚに抑えられ、中心周波数のバラツキの影響が低減される。
【００５３】
以上の説明では、ＩＦ周波数の中心周波数として副搬送波信号の周波数の偶数倍、又は副搬送波信号の周波数の偶数倍に近似的な値を使用する旨の説明をしているが、これに限定されるものではない。すなわち、ＩＦ周波数の中心周波数とＩＦ周波数の中心周波数に最も近い副搬送波信号の奇数次の高調波成分とが少なくとも音声帯域の最大周波数（２０ｋＨｚ）以上はなれるようにＩＦ周波数を選択してもよい。
【００５４】
また、本実施例ではステレオ複合信号に含まれるパイロット信号が１９ｋＨｚであって、そのパイロット信号から生成される副搬送波信号の周波数が３８ｋＨｚであることを前提に説明しているが、これに限定されない。すなわち、ＩＦ周波数の中心周波数をステレオ用副搬送波信号の周波数の偶数倍又はその近傍の周波数、あるいはＩＦ周波数の中心周波数とＩＦ周波数の中心周波数に最も近い副搬送波信号の奇数次の高調波成分とが少なくとも音声帯域の最大周波数以上はなれた周波数であって、かつできるだけ低い周波数となるようにＩＦ周波数を選択すればよい。
【図面の簡単な説明】
【００５５】
【図１】本実施例に係るＦＭラジオチューナの主要部の構成を示す図である。
【図２】本実施例に係るステレオ復調回路の構成を示す図である。
【図３】図２で使用するスイッチング回路の構成を示す図である。
【符号の説明】
【００５６】
１      ・・・  アンテナ
２      ・・・  ＢＰＦ
３      ・・・  混合回路
４      ・・・  局部発信器
５      ・・・  ＰＬＬ回路
６      ・・・  ＩＦ  ＢＰＦ
７      ・・・  リミット回路
８      ・・・  ＦＭ検波回路
９      ・・・  ステレオ復調回路
１０      ・・・  ＬＰＦ
１１      ・・・  スイッチング回路
１２      ・・・  副搬送波発生回路
１３      ・・・  ＬＰＦ
【図１】
2005303982.tif 000003
【図２】
2005303982.tif 000004
【図３】
2005303982.tif 000005